(57)【特許請求の範囲】
【請求項１】
利用者による操作に応じて媒体ＩＤ、入場駅、および出場駅を示す情報を含む有効情報を生成し、生成した有効情報のうちの少なくとも媒体ＩＤを二次元コードに変換し、変換した二次元コードを媒体に印刷して二次元コード券を発行する発行部と、
前記発行部により生成された前記有効情報を保持する第１の記憶部と、
前記第１の記憶部により保持される有効情報を、有効情報が示す出場駅に設置される改札機に配信する第１の配信処理部と、
前記二次元コード券から前記二次元コードを読み取り、前記有効情報の少なくとも媒体ＩＤを取得する第１の二次元コード処理部と、
利用者による操作に応じて新たな出場駅を特定し、特定した出場駅と前記第１の二次元コード処理部により取得する媒体ＩＤと一致する媒体ＩＤを有する有効情報を前記第１の記憶部から抽出し、抽出した有効情報の出場駅を前記新たな出場駅に変更し、変更後の有効情報を前記新たな出場駅に設置される改札機に配信する第２の配信処理部と、
前記改札機に設置され、前記第１の配信処理部、または前記第２の配信処理部により配信される前記有効情報を格納する第２の記憶部と、
前記改札機に設置され、前記二次元コード券から前記二次元コードを読み取り、前記有効情報の少なくとも媒体ＩＤを取得する第２の二次元コード処理部と、
前記改札機に設置され、前記第２の二次元コード処理部により取得した媒体ＩＤと一致する媒体ＩＤを有する有効情報を前記第２の記憶部から抽出し、抽出された有効情報が予め設定される条件に適合する場合、通行を許可する判定部と、
前記改札機に設置され、前記判定部により通行が許可された場合、前記利用者の通行を許可するように制御を行う通行制御部と、
を具備する駅務システム。
【請求項２】
前記判定部は、入場時の通行判定において入場情報を生成し、生成した入場情報を前記第１の記憶部に送信し、
前記第１の記憶部は、媒体ＩＤ毎に前記入場情報を前記有効情報と対応付けて記憶し、
前記第１の配信処理部は、前記第１の記憶部により保持される入場情報及び有効情報を、有効情報が示す出場駅に設置される改札機に配信し、
前記第２の記憶部は、前記第１の配信処理部により配信される前記有効情報及び入場情報を格納し、
前記判定部は、前記第２の二次元コード処理部により取得した媒体ＩＤと一致する媒体ＩＤを含む有効情報及び入場情報を前記第２の記憶部から抽出し、抽出した有効情報及び入場情報が予め設定される条件に適合する場合、通行を許可する、請求項１に記載の駅務システム。
【請求項３】
前記発行部は、利用者による操作に応じて媒体ＩＤ、入場駅、出場駅、及び経由駅を示す情報を含む有効情報を生成する、請求項１に記載の駅務システム。
【請求項４】
前記第２の配信処理部は、前記利用者による操作に応じて新たな出場駅を特定する際に経由駅が生じる場合、前記第１の記憶部により保持される有効情報に経由駅を示す情報を追加する請求項１に記載の駅務システム。
【発明の詳細な説明】
【技術分野】
【０００１】
本発明の実施形態は、駅務システムに関する。
【背景技術】
【０００２】
鉄道の駅には、各種の駅務処理を行なう駅務機器が設置されている。駅務機器は、例えば、改札機、券売機、精算機、または窓口端末などである。これらの駅務機器は、入場券、定期券、及び乗車券などに対して種々の処理を行う。
【０００３】
例えば、入場券、定期券、及び乗車券などは、例えば所定の情報が記憶される磁気券により構成されるものがある。また、例えば、入場券、定期券、及び乗車券などは、所定の情報が記憶されるＩＣカードなどにより構成されるものがある。またさらに、ＩＣカードは、利用者の所持する携帯電話などに内蔵されるものも一般的に知られている。また、例えばストアードフェアカードなどの料金券も一般に利用されている。
【０００４】
また、近年では、券媒体として、二次元コードからなる券情報を有する携帯端末機器、二次元コードが印刷された媒体を利用し、入出場処理等を行う駅務システムが提案されている。
【０００５】
二次元コードが印刷される乗車券を発行する場合、駅務システムは、利用者に出場駅を指定させる。さらに、駅務システムは、発行した乗車券で指定された出場駅の改札を通行可能になるように、出場駅に改札処理に必要な情報を送信する。しかし、指定された出場駅以外の駅で降車する場合、利用者は、発行された乗車券で改札を通行することができない。
【先行技術文献】
【特許文献】
【０００６】
【特許文献１】特開２００６−５９２４９号公報
【発明の概要】
【発明が解決しようとする課題】
【０００７】
本実施形態は、より利便性の高い駅務システムを提供することを目的とする。
【課題を解決するための手段】
【０００８】
一実施形態に係る駅務システムは、発行部と、第１の記憶部と、第１の配信処理部と、第１の二次元コード処理部と、第２の配信処理部と、第２の記憶部と、第２の二次元コード処理部と、判定部と、通行制御部とを備える。発行部は、利用者による操作に応じて媒体ＩＤ、入場駅、および出場駅を示す情報を含む有効情報を生成し、生成した有効情報のうちの少なくとも媒体ＩＤを二次元コードに変換し、変換した二次元コードを媒体に印刷して二次元コード券を発行する。第１の記憶部は、前記発行部により生成された前記有効情報を保持する。第１の配信処理部は、前記第１の記憶部により保持される有効情報を、有効情報が示す出場駅に設置される改札機に配信する。第１の二次元コード処理部は、前記二次元コード券から前記二次元コードを読み取り、前記有効情報の少なくとも媒体ＩＤを取得する。第２の配信処理部は、利用者による操作に応じて新たな出場駅を特定し、特定した出場駅と前記第１の二次元コード処理部により取得する媒体ＩＤと一致する媒体ＩＤを有する有効情報を前記第１の記憶部から抽出し、抽出した有効情報の出場駅を前記新たな出場駅に変更し、変更後の有効情報を前記新たな出場駅に設置される改札機に配信する。第２の記憶部は、前記改札機に設置され、前記第１の配信処理部、または前記第２の配信処理部により配信される前記有効情報を格納する。第２の二次元コード処理部は、前記改札機に設置され、前記二次元コード券から前記二次元コードを読み取り、前記有効情報の少なくとも媒体ＩＤを取得する。判定部は、前記改札機に設置され、前記第２の二次元コード処理部により取得した媒体ＩＤと一致する媒体ＩＤを有する有効情報を前記第２の記憶部から抽出し、抽出された有効情報が予め設定される条件に適合する場合、通行を許可する。通行制御部は、前記改札機に設置され、前記判定部により通行が許可された場合、前記利用者の通行を許可するように制御を行う。
【図面の簡単な説明】
【０００９】
【図１】図１は、一実施形態に係る駅務システムについて説明するための説明図である。
【図２】図２は、一実施形態に係る駅務システムについて説明するための説明図である。
【図３】図３は、一実施形態に係る駅務システムについて説明するための説明図である。
【図４】図４は、一実施形態に係る駅務システムについて説明するための説明図である。
【図５】図５は、一実施形態に係る駅務システムについて説明するための説明図である。
【図６】図６は、一実施形態に係る駅務システムについて説明するための説明図である。
【図７】図７は、一実施形態に係る駅務システムについて説明するための説明図である。
【図８】図８は、一実施形態に係る駅務システムについて説明するための説明図である。
【図９】図９は、一実施形態に係る駅務システムについて説明するための説明図である。
【発明を実施するための形態】
【００１０】
以下、図面を参照しながら駅務システムについて詳細に説明する。
【００１１】
図１は、一実施形態に係る駅務システム１００について説明するための説明図である。  
図１に示す駅務システム１００は、種々の駅務機器を備える。駅務システム１００は、例えば、券売機１１０、出場駅変更処理機１２０、センタシステム１３０、及び改札機１４０などを備える。なお、駅務システム１００は、利用者の所持する携帯電子装置（例えば携帯電話）に対しても処理を行うことができる。
【００１２】
券売機１１０は、例えば利用者により入力される操作に基づいて入場券、定期券、普通乗車券、特急券、回数券、及び料金券などを発行するためのデータ（有効情報）を生成する。券売機１１０は、生成した有効情報に基づいて二次元コードを生成する。さらに、券売機１１０は、二次元コードを券媒体に印刷し、乗車券としての二次元コード券１５０を発行する。
【００１３】
出場駅変更処理機１２０は、利用者の所持する二次元コード券１５０により出場することができる駅（出場駅）を変更する処理を行う。  
センタシステム１３０は、券売機１１０、出場駅変更処理機１２０、及び改札機１４０から伝送される各種の情報を保持する。また、センタシステム１３０は、必要に応じて券売機１１０、出場駅変更処理機１２０、及び改札機１４０に各種の情報を配信する。  
改札機１４０は、駅の改札口などに設置される。改札機１４０は、利用者の所持する二次元コード券１５０に対して改札処理を行う。
【００１４】
図２は、一実施形態に係る駅務システム１００の動作について説明するための説明図である。  
本実施形態に係る券売機１１０は、利用者に出場駅を選択させる。券売機１１０は、出場駅の選択操作を含む操作入力に応じて、有効情報を生成し、二次元コード券１５０を発行する。
【００１５】
入場側に設置される改札機１４０は、利用者が所持する二次元コード券１５０から有効情報を読み取り、改札処理を行う。さらに、改札機１４０は、改札処理の結果に基づいて入場情報を生成する。改札機１４０は、入場情報と有効情報とをセンタシステム１３０に送信する。
【００１６】
センタシステム１３０は、受信する有効情報及び入場情報を格納する。さらに、センタシステム１３０は、受信する有効情報及び入場情報に基づいて、出場駅を特定する。センタシステム１３０は、特定した駅に設置される改札機１４０に対して、この有効情報及び入場情報を配信する。
【００１７】
改札機１４０は、センタシステム１３０から受信する有効情報及び入場情報を格納する。出場側に設置される改札機１４０は、二次元コード券１５０から読み取る有効情報、及び、自身が格納する有効情報及び入場情報に基づいて、改札処理を行う。
【００１８】
また、利用者は、出場駅以外の駅から出場する場合、出場駅変更処理機１２０により出場駅変更処理を受ける必要がある。
【００１９】
図３は、一実施形態に係る駅務システム１００の動作について説明するための説明図である。  
図２に示したように、利用者が二次元コード券１５０を使って改札内に入場した場合、出場駅に有効情報及び入場情報が配信される。
【００２０】
ここで、利用者が出場駅を変更する場合、利用者は、改札内に設置される出場駅変更処理機１２０に二次元コード券１５０を投入して操作することにより、出場駅を変更する。
【００２１】
出場駅変更処理機１２０は、二次元コード券１５０が投入される場合、二次元コード券１５０に印刷されている二次元コードを読み取り、有効情報を取得する。さらに、出場駅変更処理機１２０は、利用者に新たな出場駅の選択操作を行わせ、入力される操作に応じて出場駅変更要求を生成する。出場駅変更処理機１２０は、生成した出場駅変更要求をセンタシステム１３０に送信する。
【００２２】
センタシステム１３０は、出場駅変更処理機１２０から受信する出場駅変更要求を解析し、新たな出場駅を特定する。また、センタシステム１３０は、出場駅変更要求に含まれる媒体ＩＤと、自身が保持している有効情報の媒体ＩＤとに基づいて、出場駅変更処理機１２０に投入された二次元コード券１５０に対応する有効情報及び入場情報を特定する。センタシステム１３０は、特定した駅に設置されている改札機１４０に対して、特定した有効情報及び入場情報を配信する。
【００２３】
改札機１４０は、センタシステム１３０から受信する有効情報及び入場情報を格納する。出場側に設置される改札機１４０は、二次元コード券１５０から読み取る有効情報、及び、自身が格納する有効情報及び入場情報に基づいて、改札処理を行う。
【００２４】
以下、各駅務機器の動作について詳細に説明する。  
図４は、一実施形態に係る券売機１１０について説明するための説明図である。  
券売機１１０は、利用者により入力される操作に基づいて二次元コード券１５０を発行する。なお、詳述しないが、券売機１１０は、乗車券が有する情報（有効情報）に基づいて利用額の不足分を精算し、精算券を発行する精算機の機能を含む。また、券売機１１０は、磁気乗車券及びＩＣ乗車券を発行する機能も備える。券売機１１０は、制御部１１１、記憶部１１２、表示部１１３、操作部１１４、現金処理部１１５、及び二次元コード券処理部１１６を備える。
【００２５】
制御部１１１は、券売機１１０の動作を制御する。また、制御部１１１は、他の駅務機器とデータの送受信を行うことができる。
【００２６】
記憶部１１２は、券売機１１０の制御に必要な制御データ、及び二次元コード券１５０を発行するために必要な各種のデータを予め格納している。
【００２７】
表示部１１３は、制御部１１１の制御に基づいて種々の情報を表示する。表示部１１３は、液晶表示器などで構成されている。この表示部１１３は、制御部１１１による制御に基づいて、券売機１１０を利用する利用者に対して二次元コード券１５０の発行業務に必要な各種操作を案内する画面、及び発行する二次元コード券１５０の内容などの種々の情報を案内する画面などを表示する。
【００２８】
操作部１１４は、利用者による操作入力に基づいて操作信号を生成する。操作部１１４は、各種ボタン、または、接触を検知し、検知した接触の位置に基づいて操作信号を生成するタッチパネルなどにより構成される。操作部１１４は、制御部１１１による制御に基づいて、利用者による各種操作の入力を受け付ける。例えば、操作部１１４は、二次元コード券１５０を発行するのに必要な情報の入力を受け付ける。
【００２９】
現金処理部１１５は、利用者により投入される紙幣、及び／または貨幣などを処理する。
【００３０】
二次元コード券処理部１１６は、二次元コード券１５０の発行を行う。例えば、二次元コード券処理部１１６は、二次元コードを媒体に印刷する印刷部と、媒体を収容する収容部を備える。二次元コード券１５０を発行する場合、二次元コード券処理部１１６は、収容部に収容されている媒体に対して制御部１１１により生成される二次元コードを印刷する。これにより、二次元コード処理部１５０は、乗車券としての二次元コード券１５０を発行する。
【００３１】
券売機１１０は、利用者に例えば出場駅を入力させるように表示部１１３に表示を行う。例えば、券売機１１０は、路線内の駅の一覧を表示し、出場駅を利用者に選択させる。また、券売機１１０は、利用者により入力される操作に応じて、入場駅を示す情報、出場駅を示す情報、及び金額情報などを含む有効情報を生成する。
【００３２】
さらに、券売機１１０は、媒体ＩＤと、日付または有効期限などの情報とを有効情報に付加する。券売機１１０は、自身が保有する時間情報に応じて、日付または有効期限などの情報を生成する。
【００３３】
また、券売機１１０は、自身が保有するカウンタなどの値に応じて媒体ＩＤを生成する。媒体ＩＤは、乗車券として発行される二次元コード券１５０を識別するための識別情報である。媒体ＩＤは、二次元コード券１５０毎に固有の情報である。
【００３４】
即ち、二次元コードの生成に用いられる有効情報は、媒体ＩＤ、入場駅、出場駅、金額情報、及び日付情報などを含む。
【００３５】
券売機１１０は、生成した有効情報に基づいて二次元コードを生成し、生成した二次元コードを券媒体に印刷し、二次元コード券１５０を発行する。
【００３６】
図５は、券売機１１０により発行される二次元コード券１５０の例について説明する為の説明図である。  
図５に示すように、二次元コード券１５０の券面には、入場駅、出場駅、及び金額情報などを含む券面情報１５１と、二次元コード１５２と、ガイド１５３とが印刷される。
【００３７】
券売機１１０は、利用者の操作に基づいて生成した有効情報に基づいて、券面情報１５１を可視インクにより印刷する。これにより、利用者は、券面からこの二次元コード券１５０の有効情報を認識することができる。
【００３８】
また、券売機１１０は、有効情報に基づいて二次元コードを生成し、生成した二次元コード１５２を媒体の券面に印刷する。なお、二次元コード１５２は、不可視インクにより印刷されてもよい。この場合、利用者が二次元コード１５２の位置を認識することができるように、ガイド１５３が可視インクによりさらに印刷される。
【００３９】
不可視インクは、例えば紫外線を照射した場合に可視光（蛍光）を放出する蛍光体が含有された蛍光インクである。ガイド１５３は、二次元コード１５２が印刷される位置を利用者に認識させる為のオブジェクトであり、二次元コード１５２の印刷範囲の縁部付近に印刷される。
【００４０】
なお、券売機１１０は、例えばサーマルヘッドなどを用いて媒体としての感熱紙に券面情報１５１、二次元コード１５２、及びガイド１５３などを印刷する構成であってもよい。
【００４１】
図６は、一実施形態に係る改札機１４０について説明するための説明図である。  
改札機１４０は、利用者が所持する乗車券（二次元コード券１５０）に対して改札処理を行う。なお、詳述しないが、改札機１４０は、磁気乗車券、及びＩＣカードにより構成される乗車券などに対して改札処理を行うための処理部を備える。
【００４２】
改札機１４０は、駅の改札口などに設置される。改札機１４０は、改札口で利用者に対して改札処理を行う。これにより、改札機１４０は、利用者の通行の可否を判断する。改札機１４０は、主制御部１４１、二次元コード読取部１４２、通行制御部１４５、及び表示部１４６を備える。
【００４３】
主制御部１４１は、改札機１４０の動作を制御する。また、主制御部１４１は、他の駅務機器とデータの送受信を行うことができる。
【００４４】
二次元コード読取部１４２は、利用者が所持する二次元コード券１５０に印刷されている二次元コード１５２を画像として読み取る。二次元コード読取部１４２は、読み取った二次元コードの画像を主制御部１４１に送信する。
【００４５】
図７は、一実施携帯に係る二次元コード読取部１４２の構成について説明する為の説明図である。  
二次元コード読取部１４２は、照明部１４２１、フィルタ１４２２、カメラ１４２３、及び制御基盤１４２４を備える。
【００４６】
照明部１４２１は、利用者が提示する二次元コード券１５０に対して光を照射する。二次元コード券１５０の二次元コード１５２が蛍光インクにより印刷される場合、照明部１４２１は、利用者が提示する二次元コード券１５０に対して蛍光体を励起するための励起光を照射する。励起光は、例えば紫外帯域の光である。二次元コード券１５０に印刷されている二次元コード１５２は、励起光が照射される場合、励起されて蛍光を発する。
【００４７】
フィルタ１４２２は、所定の帯域の光を透過する光学フィルタである。フィルタ１４２２は、二次元コード券１５０から発せられる蛍光の帯域の光を透過し、他の帯域の光を遮断する。
【００４８】
カメラ１４２３は、フィルタ１４２２を透過する光を受光し、受光した光を電気信号に変換することにより、画像を取得する。カメラ１４２３は、光を受光するレンズと、光を電気信号に変換するセンサとを備える。レンズは、入射する光をセンサに結像する。センサは、結像される光に応じて電気信号を生成し、画像を取得する。
【００４９】
制御基盤１４２４は、カメラ１４２３、及び照明部１４２１などの動作を制御する。なお、二次元コード読取部１４２は、主制御部１４１により統合的に制御される。
【００５０】
なお、二次元コード１５２に可視的に形成されている場合、照明部１４２１は、可視光を照射する。また、この場合、フィルタ１４２２を省略してもよい。
【００５１】
また、カメラ１４２３のセンサが所定の帯域の光のみを感度帯域とするセンサである場合、フィルタ１４２２の構成を省略することができる。
【００５２】
また、図６に示す通行制御部１４５は、主制御部１４１の制御に基づいて、利用者の通行を抑制するためのドアなどの動作を制御する。主制御部１４１は、改札処理の判定結果にもとづいて、ドアを開閉するように通行制御部１４５を制御する。
【００５３】
表示部１４６は、液晶表示器などで構成されている。表示部１４６は、主制御部１４１による制御に基づいて、改札機１４０を利用する利用者に対して操作を案内する画面や改札処理の結果などに対応した案内画面を表示する。
【００５４】
また、主制御部１４１は、記憶部１４７、情報処理部１４８、及び判定部１４９を備える。記憶部１４７は、センタシステム１３０から配信される有効情報及び入場情報を記憶する。
【００５５】
情報処理部１４８は、二次元コード読取部１４２により読み取る二次元コード１５２の画像に基づいて、有効情報を取得する。即ち、情報処理部１４８は、二次元コードの画像に対して所定の情報処理を行うことにより、画像をデコードし、元のデータ（有効情報）を取得する。情報処理部１４８は、取得した有効情報を判定部１４９に送る。
【００５６】
判定部１４９は、記憶部１４７により記憶されている情報と、情報処理部１４８から送信される有効情報とに基づいて、通行判定を行う。
【００５７】
改札機１４０が入場側に設置される場合、二次元コード券１５０から読み取った有効情報に基づいて通行判定を行う。この場合、判定部１４９は、情報処理部１４８から送信される有効情報の日付、及び入場駅が予め設定される条件に適合する場合、通行を許可する。
【００５８】
この場合、判定部１４９は、入場情報を生成する。入場情報は、例えば、入場駅を示す情報、入場時刻、及び媒体ＩＤなどを含む情報である。主制御部１４１は、生成した入場情報と、二次元コード券１５０から読み取った有効情報とを対応付けてセンタシステム１３０に送信する。これにより、センタシステム１３０に有効情報及び入場情報が蓄積される。
【００５９】
また、改札機１４０が出場側に設置される場合、二次元コード券１５０から読み取った有効情報と、記憶部１４７により記憶されている有効情報及び入場情報と、に基づいて通行判定を行う。この場合、判定部１４９は、二次元コード券１５０から読み取った有効情報に基づいて記憶部１４７から有効情報及び入場情報を抽出する。例えば、判定部１４９は、二次元コード券１５０から読み取った有効情報と媒体ＩＤが一致する有効情報及び入場情報を記憶部１４７から抽出する。
【００６０】
判定部１４９は、記憶部１４７から抽出した有効情報及び入場情報に基づいて通行判定を行う。判定部１４９は、例えば、抽出した入場情報及び有効情報が予め設定される条件に適合する場合、通行を許可する。
【００６１】
また、判定部１４９は、出場情報を生成してもよい。出場情報は、例えば、出場駅を示す情報、出場時刻、及び媒体ＩＤなどを含む情報である。主制御部１４１は、生成した出場情報をセンタシステム１３０に送信することにより、センタシステム１３０に未出場の利用者（二次元コード券１５０）を把握させることができる。
【００６２】
改札機１４０の主制御部１４１は、通行を許可する判定結果を得た場合、利用者の通行を促すように通行制御部１４５によりドアを制御する。また、主制御部１４１は、通行を許可する判定結果が得られなかった場合、利用者の通行を制止するように通行制御部１４５によりドアを制御する。さらに、主制御部１４１は、通行判定の結果を表示するように表示部１４６を制御する。
【００６３】
図８は、一実施形態に係るセンタシステム１３０について説明する為の説明図である。  
センタシステム１３０は、制御部１３１、記憶部１３２、及びデータベース１３３を備える。
【００６４】
制御部１３１は、センタシステム１３０の各部の制御を行う。また、制御部１３１は、他の駅務機器とデータの送受信を行うことができる。
【００６５】
記憶部１３２は、センタシステム１３０の機能を実現するためのプログラム、制御データなどを記憶する。
【００６６】
データベース１３３は、改札機１４０から送信される有効情報及び入場情報を格納する。
【００６７】
制御部１３１は、改札機１４０から有効情報及び入場情報を受信する場合、有効情報に含まれる出場駅を示す情報に基づいて、出場駅を特定する。制御部１３１は、特定した駅に設置される改札機１４０に対して有効情報及び入場情報を配信する。これにより、センタシステム１３０は、利用者が出場駅として指定した駅の改札機１４０に、有効情報及び入場情報を配信することができる。
【００６８】
図９は、一実施形態に係る出場駅変更処理機１２０について説明する為の説明図である。  
出場駅変更処理機１２０は、利用者により入力される操作に基づいて二次元コード券１５０により出場可能な駅の変更処理を行う。なお、詳述しないが、出場駅変更処理機１２０は、乗車券が有する有効情報に基づいて利用額の不足分を精算し、精算券を発行する精算機の機能を含む。出場駅変更処理機１２０は、制御部１２１、記憶部１２２、表示部１２３、操作部１２４、現金処理部１２５、二次元コード券処理部１２６、及び出場駅変更処理部１２７を備える。
【００６９】
制御部１２１は、出場駅変更処理機１２０の動作を制御する。また、制御部１２１は、他の駅務機器とデータの送受信を行うことができる。
【００７０】
記憶部１２２は、出場駅変更処理機１２０の制御に必要な制御データ、及び二次元コード券１５０の出場駅を変更するために必要な各種のデータを予め格納している。
【００７１】
表示部１２３は、制御部１２１の制御に基づいて種々の情報を表示する。表示部１２３は、液晶表示器などで構成されている。この表示部１２３は、制御部１２１による制御に基づいて、券売機１１０を利用する利用者に対して二次元コード券１５０の出場駅の変更処理に必要な各種操作を案内する画面などを表示する。
【００７２】
操作部１２４は、利用者による操作入力に基づいて操作信号を生成する。操作部１２４は、各種ボタン、または、接触を検知し、検知した接触の位置に基づいて操作信号を生成するタッチパネルなどにより構成される。操作部１２４は、制御部１２１による制御に基づいて、利用者による各種操作の入力を受け付ける。例えば、操作部１２４は、二次元コード券１５０の出場駅の変更処理に必要な情報の入力を受け付ける。
【００７３】
現金処理部１２５は、利用者により投入される紙幣、及び／または貨幣などを処理する。
【００７４】
二次元コード券処理部１２６は、利用者により提示される二次元コード券１５０から二次元コード１５２を読み取る。二次元コード券処理部１２６は、図７に示す二次元コード読取部１４２と同様の構成を備える。
【００７５】
出場駅変更処理部１２７は、利用者により入力される入力操作に基づいて、出場駅変更要求を生成する。出場駅変更処理部１２７は、利用者から提示される二次元コード券１５０から読み取る二次元コード１５２の画像から有効情報を取得する。出場駅変更処理部１２７は、取得した有効情報に基づいて、変更の候補となる駅を表示部１２３に表示するように表示部１２３を制御する。ここで入力される操作に基づいて、出場駅変更処理部１２７は、新たな出場駅を特定する。
【００７６】
出場駅変更処理部１２７は、特定した新たな出場駅と、二次元コード券１５０から読み取った有効情報に含まれる媒体ＩＤとに基づいて、出場駅変更要求を生成する。出場駅変更要求は、少なくとも新たな出場駅を示す情報と、媒体ＩＤとを含む。出場駅変更処理部１２７は、生成した出場駅変更要求をセンタシステム１３０に送信する。
【００７７】
センタシステム１３０は、出場駅変更処理機１２０から受信する出場駅変更要求を解析し、新たな出場駅を特定する。また、センタシステム１３０は、出場駅変更要求に含まれる媒体ＩＤと、自身がデータベース１３３に保持している有効情報の媒体ＩＤとに基づいて、出場駅変更処理機１２０に投入された二次元コード券１５０に対応する有効情報及び入場情報を特定する。
【００７８】
センタシステム１３０は、特定した有効情報の出場駅を新たな出場駅に更新する。センタシステム１３０は、特定した駅に設置されている改札機１４０に対して、有効情報及び入場情報を配信する。これにより、センタシステム１３０は、利用者が新たな出場駅として指定する駅の改札機１４０に、有効情報及び入場情報を配信することができる。
【００７９】
上記したように、本実施形態に係る駅務システム１００は、二次元コード券１５０の発行時に利用者に出場駅を指定させる。さらに、駅務システム１００は、出場駅変更処理機１２０を備える。出場駅変更処理機１２０は、利用者に新たな出場駅を選択させ、出場駅変更要求をセンタシステム１３０に送信する。  センタシステム１３０は、新たに指定される出場駅の改札機１４０に有効情報及び入場情報を配信する。
【００８０】
これにより、利用者の出場駅の変更に応じて有効情報及び入場情報を出場駅の改札機１４０に配信することができる。この為、途中下車など、予め指定された駅以外での出場を可能にすることができる。この結果、より利便性の高い駅務システムを提供することができる。特に、より利用者の要望に応じて改札処理を行うことができる駅務システムを提供することができる。
【００８１】
なお、上記した実施形態では、二次元コード券１５０は、有効情報として媒体ＩＤ、入場駅、出場駅、金額情報、及び日付情報などを含むとして説明したが、この構成に限定されない。二次元コード券１５０は、媒体ＩＤのみを記憶する構成であってもよい。
【００８２】
この場合、券売機１１０は、二次元コード券１５０の発行時、媒体ＩＤを二次元コードに変換し、二次元コードを券媒体に印刷することにより二次元コード券１５０を発行する。さらに、券売機１１０は、媒体ＩＤ、入場駅、出場駅、金額情報、及び日付情報などを含む有効情報を生成する。券売機１１０は、生成した有効情報を券売機１１０と同じ駅に設置される入場側の改札機１４０に送信する。
【００８３】
この入場側の改札機１４０は、券売機１１０から送信される有効情報を格納する。改札機１４０は、二次元コード券１５０から二次元コードを読み取り媒体ＩＤを取得する。さらに、改札機１４０は、格納している有効情報から、取得した媒体ＩＤと一致する媒体ＩＤを含む有効情報を抽出する。改札機１４０は、抽出した有効情報に基づいて改札処理を行い、入場情報を生成する。改札機１４０は、生成した入場情報と、抽出した有効情報とをセンタシステム１３０に送信する。
【００８４】
また、出場側の改札機１４０は、二次元コード券１５０から取得する媒体ＩＤと一致する媒体ＩＤを含む有効情報及び入場情報を自身が記憶する有効情報及び入場情報から抽出する。改札機１４０は、抽出した有効情報及び入場情報に基づいて出場の改札処理を行う。
【００８５】
また、出場駅変更処理機１２０は、二次元コード券１５０から媒体ＩＤを取得し、さらに利用者に新たな出場駅を選択させる。出場駅変更処理機１２０は、取得した媒体ＩＤと新たな出場駅を示す情報とを対応付けて出場駅変更要求としてセンタシステム１３０に送信する。
【００８６】
この構成によると、二次元コード券１５０に入場駅、出場駅、及び金額情報などが記憶されない為、乗車券の偽造をより困難にすることができる。
【００８７】
また、上記した実施形態では、二次元コード１５２を券媒体に印刷して二次元コード券１５０を発行するとしたが、この構成に限定されない。例えば、利用者が所持する少なくとも表示部を備える携帯電話などの携帯電子端末に二次元コード１５２の画像を送信する構成であってもよい。
【００８８】
この場合であっても、携帯電子端末に表示される二次元コードの画像を出場駅変更処理機１２０に読み取らせることにより、出場駅の変更を行うことができる。
【００８９】
またさらに、二次元コードが印刷される回数券を用いる構成であっても本実施形態を適用することができる。この場合、券売機１１０、または出場駅変更処理機１２０は、回数券の投入を受け付ける。券売機１１０、または出場駅変更処理機１２０は、回数券に印刷される二次元コードを読み取り、出場駅をユーザに選択させる。
【００９０】
券売機１１０、または出場駅変更処理機１２０は、選択される駅に基づいて有効情報を生成し、生成した有効情報をセンタシステム１３０に送信する。センタシステム１３０は、出場駅に設置される改札機１４０にこの有効情報を配信する。これにより、回数券により出場可能な駅を変更することができる。
【００９１】
また、上記した実施形態では、駅務システム１００は、出場駅を利用者に選択させる公正として説明したが、この構成に限定されない。さらに、経由駅を選択させる構成であってもよい。この場合、券売機１１０は、改札処理などが必要な経由駅を示す情報を有効情報に追加する。
【００９２】
また、出場駅変更処理機１２０は、出場駅を変更する処理において、改札処理が必要な経由駅を経由する経路が選択される場合、経由駅を示す情報を出場駅変更要求に追加する。出場駅変更処理機１２０は、出場駅変更要求をセンタシステム１３０に送信する。
【００９３】
センタシステム１３０は、出場駅変更要求に経由駅を示す情報が含まれる場合、経由駅に設置される改札機１４０にも入場情報及び有効情報を配信する。これにより、駅務システム１００は、より柔軟に出場駅を変更することができる。
【００９４】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００９５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００９６】
１００…駅務システム、１１０…券売機、１１１…制御部、１１２…記憶部、１１３…表示部、１１４…操作部、１１５…現金処理部、１１６…二次元コード券処理部、１２０…出場駅変更処理機、１２１…制御部、１２２…記憶部、１２３…表示部、１２４…操作部、１２５…現金処理部、１２６…二次元コード券処理部、１２７…出場駅変更処理部、１３０…センタシステム、１３１…制御部、１３２…記憶部、１３３…データベース、１４０…改札機、１４１…主制御部、１４２…二次元コード読取部、１４５…通行制御部、１４６…表示部、１４７…記憶部、１４８…情報処理部、１４９…判定部、１５０…二次元コード券、１５１…券面情報、１５２…二次元コード、１４２１…照明部、１４２２…フィルタ、１４２３…カメラ、１４２４…制御基盤。
【図１】
0005591654.tif 000002
【図２】
0005591654.tif 000003
【図３】
0005591654.tif 000004
【図４】
0005591654.tif 000005
【図５】
0005591654.tif 000006
【図６】
0005591654.tif 000007
【図７】
0005591654.tif 000008
【図８】
0005591654.tif 000009
【図９】
0005591654.tif 000010